(57)【要約】【課題】  加熱開始及び加熱停止のスイッチ操作自体は簡単に行えるものの、操作者が意図しないと思われるスイッチ操作があったと判断した場合にはそのスイッチ操作に対応した加熱開始又は加熱停止とを忠実に実行しないような加熱調理器を提供する。【解決手段】  加熱手段Ｋと、この加熱手段Ｋの加熱開始及び加熱停止を指令する手動操作式の加熱状態指令スイッチ３２と、この加熱状態指令スイッチ３２の指令に基づいて、加熱手段Ｋの作動を制御する制御手段Ｈとが備えられた加熱調理器であって、制御手段Ｈは、加熱手段Ｋの加熱作動状態において加熱停止を指令されたときには、加熱手段Ｋを加熱停止状態に制御し且つ加熱停止を指令されてからの経過時間が設定経過時間内であるときに加熱開始を指令されても加熱停止状態を優先して維持させる形態で加熱手段Ｋの作動を制御するように構成されている。【選択図】  図２
2005083594.tif 000002
【特許請求の範囲】
【請求項１】
加熱手段と、この加熱手段の加熱開始及び加熱停止を指令する手動操作式の加熱状態指令スイッチと、この加熱状態指令スイッチの指令に基づいて、前記加熱手段の作動を制御する制御手段とが備えられた加熱調理器であって、
前記制御手段は、前記加熱手段の加熱作動状態において加熱停止を指令されたときには、前記加熱手段を加熱停止状態に制御し且つ前記加熱停止を指令されてからの経過時間が設定経過時間内であるときに加熱開始を指令されても前記加熱停止状態を優先して維持させる形態で前記加熱手段の作動を制御するように構成されている加熱調理器。
【請求項２】
加熱手段と、この加熱手段の加熱開始及び加熱停止を指令する手動操作式の加熱状態指令スイッチと、この加熱状態指令スイッチの指令に基づいて、前記加熱手段の作動を制御する制御手段とが備えられた加熱調理器であって、
前記制御手段は、前記加熱手段の加熱作動状態において加熱停止を指令されたときには、その加熱停止の指令が設定継続時間の間継続したときに前記加熱停止状態に作動させるようにして、前記加熱作動状態を優先して維持させる形態で前記加熱手段の作動を制御するように構成されている加熱調理器。
【請求項３】
復帰付勢された加熱開始指令位置から押し込み操作されると加熱停止指令位置に自動保持され且つその加熱停止指令位置から押し込み操作されると前記自動保持が解除されて前記加熱開始指令位置に復帰する押し込み操作式の加熱状態指令操作具が設けられ、
前記加熱状態指令スイッチが、前記加熱状態指令操作具にて操作されるように構成されている請求項１又は２記載の加熱調理器。
【請求項４】
前記加熱状態指令操作具が、前記加熱開始指令位置から前記加熱停止指令位置側に押し込み操作されたときに、前記加熱停止指令位置よりも手前側位置から前記加熱状態指令スイッチを操作するように構成されている請求項３記載の加熱調理器。
【請求項５】
音情報又は表示情報によって操作異常を報知する報知手段が設けられ、
前記制御手段は、指令された加熱開始又は加熱停止の指令内容を実行しないときには、前記報知手段を作動させるように構成されている請求項１〜４のいずれか１項記載の加熱調理器。
【請求項６】
前記加熱手段が、ガス燃焼式である請求項１〜５のいずれか１項記載の加熱調理器。
【発明の詳細な説明】
【技術分野】
【０００１】
本発明は、加熱手段と、この加熱手段の加熱開始及び加熱停止を指令する手動操作式の加熱状態指令スイッチと、この加熱状態指令スイッチの指令に基づいて、加熱手段の作動を制御する制御手段とが備えられた加熱調理器に関する。
【背景技術】
【０００２】
かかる加熱調理器としては、加熱手段としてガスバーナーを備えたガスコンロや、加熱手段として電磁式ヒータを備えた電磁式加熱器等がある。
かかる加熱調理器において、従来では、手動操作式の加熱状態指令スイッチによる加熱開始指令や加熱停止指令に基づいて、加熱手段を加熱作動状態や加熱停止状態に切り替えるにあたり、加熱作動状態において加熱停止指令が指令されると直ちに加熱停止状態に切り替え、加熱停止状態において加熱開始指令が指令されると直ちに加熱作動状態に切り替えるように構成されていた（例えば、特許文献１参照。）。
【０００３】
ちなみに、前記加熱状態指令スイッチは、押し込み操作式の加熱状態指令操作具にて操作されることが多い。この押し込み操作式の加熱状態指令操作具は、復帰付勢された加熱停止指令位置から加熱開始指令位置に押し込み操作されるとその加熱開始指令位置に自動保持され且つその加熱開始指令位置から押し込み操作されると前記自動保持が解除される、加熱停止指令位置復帰付勢形態のものや、復帰付勢された加熱開始指令位置から加熱停止指令位置に押し込み操作されるとその加熱停止指令位置に自動保持され且つその加熱停止指令位置から押し込み操作されると前記自動保持が解除される、加熱開始指令位置復帰付勢形態のものがある。
【０００４】
例えば、押し込み操作式の加熱状態指令操作具の具体例としては図４から図７に例示するような機構の押し込み操作式の操作具が存在する。この操作具は、可動部材３８ａと固定部材３８ｂとスプリング３８ｃとで構成され、可動部材３８ａと固定部材３８ｂとの間に設けられたスプリング３８ｃによって、可動部材３８ａは図４（ロ）に示すような加熱開始指令位置へと復帰付勢されている。図６に示すように、可動部材３８ａの内部は固定部材３８ｂと摺動可能に中空に形成され、固定部材３８ｂと機械的なロック状態を形成するための係止用突出部５０が設けられている。そして、可動部材３８ａと固定部材３８ｂとの摺動状態において係止用突出部５０と対面する側の固定部材３８ｂには係止誘導部５１が設けられている。図７に示すように、この係止誘導部５１は、ガイド溝５２に沿って横方向に移動しながら係止用突出部５０を誘導する役割を果たすものである。また、回転操作部３１の可動部材３８ａが図４（イ）に示すような加熱停止指令位置にある状態は、可動部材３８ａの係止用突出部５０と固定部材３８ｂの係止誘導部５１とで構成される機械的なロック機構によって、可動部材３８ａと固定部材３８ｂとが互いに自動保持された状態である。
【０００５】
図７（ホ）、図７（ヘ）及び図７（リ）を参照すると、係止用突出部５０の下端が、図７（リ）に示す加熱停止指令位置である位置Ａよりも手前側の位置Ｃよりも下方にくるように可動部材３８ａを押し込むと加熱状態指令スイッチがオフ操作される、つまり、加熱開始指令位置から加熱停止指令位置側に押し込み操作されたときに、加熱停止指令位置よりも手前側位置から加熱状態指令スイッチを操作するように構成されている。そして、図７（ホ）に示す位置Ａの状態及び図７（ヘ）に示す位置Ｂの状態にまで可動部材３８ａを押し込んだ後で手を離したとしても、係止用突出部５０はスプリング３８ｃの復元力によって図７（イ）の位置状態に戻ってしまい、図７（リ）に示したロック（自動保持）状態には至らない。つまり、係止用突出部５０の下端が位置Ｂよりも下方にくるように可動部材３８ａが押し込まれた後で手を離した場合のみに、係止用突出部５０が図７（リ）に示したロック状態に至って、加熱状態指令スイッチのオフ操作が継続されることになる。
【０００６】
【特許文献１】特開平１１−３３９９５２号公報（図１０）
【発明の開示】
【発明が解決しようとする課題】
【０００７】
従来では、加熱状態指令スイッチの指令に基づいて、加熱作動状態や加熱停止状態に直ちに切り替えるものであるため、使用者の操作ミス等によって、意図しない操作が行われても直ちに加熱作動状態や加熱停止状態に切り替えられるため、かえって使用しにくい虞があった。
特に、上記した押し込み操作式の加熱状態指令操作具にて操作する場合には、加熱作動状態から加熱停止状態へと切り替えるべく、操作者が加熱状態指令スイッチを押し込む場合、その押し込み量が不十分であれば、加熱状態指令スイッチは加熱開始指令位置から、加熱状態指令操作具がロック状態で自動保持される加熱停止指令位置へは移行せず、加熱作動状態が継続されることになる。この時、スイッチの電気的な接触状態は一時的に加熱停止状態になり加熱調理器は消火されたが、スイッチが加熱開始指令位置へと戻って再び点火状態となる。特に、吹き零れ等のために慌てて加熱停止操作を行った場合には上述のような押し込み量の不足といった操作不良が起きやすくなる。
【０００８】
具体的には、図４から図７に例示するような形態の加熱状態指令操作具では、上述のように加熱開始指令位置から加熱状態指令操作具が押し込み操作されて加熱停止が指令されたとしても、その押し込み量の不足により、加熱状態指令操作具は、それが自動保持される本来の加熱停止指令位置にあるのではなく、自動保持される途上にある可能性がある。従って、加熱状態指令操作具が加熱停止指令位置にて自動保持される途上で、操作者による押し込み操作が中止されると、電気的には一旦消火の信号が指令されるが、機械的にはその消火状態が自動保持されずに点火状態へと戻ってしまうという問題がある。
【０００９】
上述のように、加熱作動状態及び加熱停止状態の切り替えが操作者の意図しない状態へと移行してしまった場合、消火したものとして鍋などに手を近づけると、実際は未だに点火状態が維持されているため、袖口に着火してしまうといった事故が発生する危険性もある。特に、電動器具栓搭載のガスコンロにおける消火制御及び点火制御は、スイッチ操作を行ってから完全に消火及び点火に至るまでに時間差があるため、操作者が自身の押し込み操作が不十分であったことに気付かないことがあり、その分、上述のような事故が発生する危険性も高くなる。
【００１０】
本発明は、上記の課題に鑑みてなされたものであり、その目的は、加熱開始及び加熱停止のスイッチ操作自体は簡単に行えるものの、操作者が意図しないと思われるスイッチ操作があったと判断した場合にはそのスイッチ操作に対応した加熱開始又は加熱停止とを忠実に実行しないような安全な加熱調理器を提供する点にある。
【課題を解決するための手段】
【００１１】
上記目的を達成するための本発明に係る加熱調理器の第１特徴構成は、加熱手段と、この加熱手段の加熱開始及び加熱停止を指令する手動操作式の加熱状態指令スイッチと、この加熱状態指令スイッチの指令に基づいて、前記加熱手段の作動を制御する制御手段とが備えられた加熱調理器であって、前記制御手段は、前記加熱手段の加熱作動状態において加熱停止を指令されたときには、前記加熱手段を加熱停止状態に制御し且つ前記加熱停止を指令されてからの経過時間が設定経過時間内であるときに加熱開始を指令されても前記加熱停止状態を優先して維持させる形態で前記加熱手段の作動を制御するように構成されている点にある。
【００１２】
上記第１特徴構成によれば、制御手段が、加熱手段が点火されている加熱作動状態において加熱停止を指令されたときには、スイッチの切り替えに応じた加熱手段の加熱停止状態への切り替えを忠実に行うのではなく、加熱手段を加熱停止状態に制御して消火し且つ加熱停止を指令されてからの経過時間が設定経過時間内であるときに加熱開始を指令されても加熱停止状態を優先して維持させる形態で加熱手段の作動を制御するように構成されているので、操作者による加熱状態指令スイッチの操作不良などの理由により加熱手段が消火後に即座に再点火されることは無い。従って、操作者が意図しないと思われる加熱開始のスイッチ操作があったとしても、そのスイッチ操作に対応した加熱開始を忠実に実行しないような安全な加熱調理器を提供することができる。
【００１３】
上記目的を達成するための本発明に係る加熱調理器の第２特徴構成は、加熱手段と、この加熱手段の加熱開始及び加熱停止を指令する手動操作式の加熱状態指令スイッチと、この加熱状態指令スイッチの指令に基づいて、前記加熱手段の作動を制御する制御手段とが備えられた加熱調理器であって、前記制御手段は、前記加熱手段の加熱作動状態において加熱停止を指令されたときには、その加熱停止の指令が設定継続時間の間継続したときに前記加熱停止状態に作動させるようにして、前記加熱作動状態を優先して維持させる形態で前記加熱手段の作動を制御するように構成されている点にある。
【００１４】
上記第２特徴構成によれば、制御手段が、加熱手段が点火されている加熱作動状態において加熱停止を指令されたときには、その加熱停止の指令が設定継続時間の間継続したときに加熱停止状態に作動させるようにして、それまでは加熱手段が点火された加熱作動状態を優先して維持させる形態で加熱手段の作動を制御するので、上記設定継続時間内に加熱開始指令と加熱停止指令とが繰り返された場合にはスイッチの操作不良などの理由による操作者の意図しないスイッチ操作が発生したと判断して、そのスイッチ操作による加熱停止状態への切り替えを留保することができる。従って、加熱作動状態において、加熱停止を指令するスイッチ操作が上記設定継続時間内よりも短い操作者の意図しない加熱停止のスイッチ操作であったときには、加熱手段が消火されることなく点火され続けるように制御されるので、加熱手段の消火と点火とが操作者の意図しないスイッチ操作によって切り替えられることが防止された安全な加熱調理器を提供することができる。
【００１５】
本発明に係る加熱調理器の第３特徴構成は、上記第１又は第２特徴構成に加えて、復帰付勢された加熱開始指令位置から押し込み操作されると加熱停止指令位置に自動保持され且つその加熱停止指令位置から押し込み操作されると前記自動保持が解除されて前記加熱開始指令位置に復帰する押し込み操作式の加熱状態指令操作具が設けられ、前記加熱状態指令スイッチが、前記加熱状態指令操作具にて操作されるように構成されている点にある。
【００１６】
上記第３特徴構成によれば、操作者による加熱調理器に対する加熱開始の指令と加熱停止の指令とが、復帰付勢された加熱開始指令位置から押し込み操作されると加熱停止指令位置に自動保持され且つその加熱停止指令位置から押し込み操作されると前記自動保持が解除されて前記加熱開始指令位置に復帰する押し込み操作式の加熱状態指令操作具によって行われるので、加熱手段の加熱作動状態と加熱停止状態との切り替えを加熱状態指令操作具の押し込み操作を繰り返すという簡単な作業によって行うことができる。更に、加熱開始と加熱停止の簡単な切り替え操作性を確保しつつ、上記第１特徴構成又は上記第２特徴構成に関して説明したのと同様に、加熱手段は操作者の意図しない燃焼状態とはならないので、安全性と操作の簡便性とが両立された加熱調理器を提供することができる。
【００１７】
本発明に係る加熱調理器の第４特徴構成は、上記第３特徴構成に加えて、前記加熱状態指令操作具が、前記加熱開始指令位置から前記加熱停止指令位置側に押し込み操作されたときに、前記加熱停止指令位置よりも手前側位置から前記加熱状態指令スイッチを操作するように構成されている点にある。
【００１８】
上記第４特徴構成により、加熱停止指令位置にてのみ加熱状態指令スイッチを操作するように加熱状態指令操作具の製作精度を上げることは困難であるが、加熱状態指令操作具が加熱開始指令位置から加熱停止指令位置側に押し込み操作されたときに加熱停止指令位置よりも手前側位置から加熱状態指令スイッチを操作するように構成されているので、加熱停止指令位置にてのみ加熱状態指令スイッチを加熱停止の指令状態に操作するように構成した場合に比べて、加熱状態指令操作具の製作精度について比較的大きな誤差を許容して、操作者による加熱状態指令操作具の操作を確実に反映させることが可能となる。
【００１９】
本発明に係る加熱調理器の第５特徴構成は、上記第１から第４特徴構成のいずれかに加えて、音情報又は表示情報によって操作異常を報知する報知手段が設けられ、前記制御手段は、指令された加熱開始又は加熱停止の指令内容を実行しないときには、前記報知手段を作動させるように構成されている点にある。
【００２０】
上記第５特徴構成によれば、制御手段が、指令された加熱開始又は加熱停止の指令内容が実行されないときには、音情報又は表示情報によって操作者の操作異常を報知する報知手段を作動させるように制御するので、操作者は自身によるスイッチの操作不良を報知手段によって認識して、正しい操作を即座に実行する機会を得ることができる。従って、操作者によるスイッチの操作不良によって事故が発生する可能性を低くすることができる。
【００２１】
本発明に係る加熱調理器の第６特徴構成は、上記第１から第５特徴構成のいずれかに加えて、前記加熱手段が、ガス燃焼式である点にある。
【００２２】
上記第６特徴構成によれば、加熱手段がガス燃焼式である装置において加熱開始及び加熱停止を切り替える際に発生する事故は袖口に着火してしまうなどの危険性の高いものになりがちであるが、そのような危険性の高い事故を効果的に防止できる加熱調理器を提供することができる。
【発明を実施するための最良の形態】
【００２３】
＜第１実施形態＞
以下に、図面を参照して本発明に係る加熱調理器について説明する。
図１及び図２に示すように、ガス調理器としてのガスコンロは、３つのコンロバーナー１ａ，１ｂ，１ｃ、および、グリルバーナー２を備えるグリル部３を備えたビルトインタイプのガスコンロにて構成されており、３つのコンロバーナー１ａ，１ｂ，１ｃは標準バーナー１ａと、小バーナー１ｂと、高火力バーナー１ｃとによって構成されている。そして、グリル部３の燃焼排ガスを排気するためのグリル排気口４が形成され、トッププレート５にてガスコンロ上面が覆われており、このトッププレート５の上部に、標準バーナー１ａ、小バーナー１ｂ及び高火力バーナー１ｃに対する被加熱物（鍋など）を受け止め支持するための五徳６が載置支持されている。また、ガスコンロ前側面には、標準バーナー１ａ、小バーナー１ｂ及び高火力バーナー１ｃとグリルバーナー２との点火及び消火や火力調節と各種の設定とを指令する手動操作部Ｓが設けられ、マイクロコンピュータを備えて各種の制御を実行するように構成された制御部Ｈ（制御手段の一例）が、その手動操作部Ｓにて指令された運転状態に基づいて、標準バーナー１ａ、小バーナー１ｂ及び高火力バーナー１ｃとグリルバーナー２を制御するように構成されている。つまり、この実施形態では標準バーナー１ａ、小バーナー１ｂ及び高火力バーナー１ｃとグリルバーナー２とが夫々、ガス燃焼式の加熱手段Ｋを構成する。また、ガスコンロ前側面には自動復帰型の押し操作式の電源スイッチ４０も設けられている。
【００２４】
図２に示すように、標準バーナー１ａ、小バーナー１ｂ及び高火力バーナー１ｃの夫々には、点火手段としての点火プラグ７及び着火状態を検出する熱電対８が設けられており、グリルバーナー２は上面バーナー２ａと左右一対の下面バーナー２ｂ，２ｃとを備えた両面バーナーにて構成されて、上面バーナー２ａ及び左右一対の下面バーナー２ｂ，２ｃの夫々にも点火手段としての点火プラグ７及び着火状態を検出するための熱電対８等が備えられている。又、標準バーナー１ａには、五徳６にて載置支持された被加熱物の底面部に接触して、被加熱物の温度を検出する温度センサ１０が設けられている。
【００２５】
前記標準バーナー１ａ、小バーナー１ｂ及び高火力バーナー１ｃとグリルバーナー２とへのガス供給構成について説明すると、元ガス供給路１１には元ガス電磁弁１２が設けられ、この元ガス供給路１１から、標準バーナー用分岐路１３ａ、小バーナー用分岐路１３ｂ、高火力バーナー用分岐路１３ｃ、グリルバーナー用分岐路１３ｄの４系統に分岐しており、グリルバーナー２へのグリルバーナー用分岐路１３ｄは、さらに、上面バーナー用の分岐路と下面バーナー用分岐路とに分岐してそれらの分岐路には夫々、オリフィスｏｆ付きの流路１５と開閉式電磁弁１６を備えたバイパス路１７が設けられている。そして、標準バーナー用分岐路１３ａ、小バーナー用分岐路１３ｂ、高火力バーナー用分岐路１３ｃ、および、グリルバーナー用分岐路１３ｄの夫々には、ステッピングモータの駆動によってガス量を調整して前記各バーナーの加熱量を調整する加熱量調整手段としての流量制御弁１８が備えられている。
【００２６】
次に図３から図７を参照して前記手動操作部Ｓの構成について説明する。
ガスコンロ前側面には、手動操作部Ｓとして、標準バーナー１ａ、小バーナー１ｂ及び高火力バーナー１ｃの夫々に対して各別に点火及び消火や火力調節を指令するための３つの加熱状態調節部２８と、調理の設定を指令する設定入力パネル４５と、グリルバーナー２に対して点火及び消火や火力調整を指令するための設定入力パネル４６とが設けられている。これら３つの加熱状態調節部２８は同じ構成であるから、そのうちの標準バーナー１ａに対する加熱状態調節部２８を代表として構成を以下に説明し、他のものについては説明は省略する。ここで、設定入力パネル４５及び設定入力パネル４６は開閉式になっている。
【００２７】
図３及び図４に示すように、加熱開始及び加熱停止を指令する手動操作式の加熱状態調節部２８は、回転操作部３１（加熱状態指令操作具の一例）と点火スイッチ３２（加熱状態指令スイッチの一例）とで構成される。回転操作部３１は、標準バーナー１ａが使用されていない間は機械的なロック機構により、加熱停止指令位置で自動保持されており、その加熱停止指令位置から押し込み操作されると、自動保持が解除されて復帰付勢されている加熱開始指令位置に復帰する。そして、その加熱開始指令位置から押し込み操作されると機械的なロック機構が作動して加熱停止指令位置で自動保持される。また、点火スイッチ３２はガスコンロの前面パネル２９の内部に設けられ、前面パネル２９に形成した挿通孔３０を通して裏面側から挿通する状態で円筒状の回転操作部３１が設けられている。
【００２８】
この回転操作部３１は具体的には、その回転軸心方向の移動により、前記点火スイッチ３２に加熱停止を指令する状態に操作する加熱停止用の押し込み位置と、その押し込み位置よりも突出して点火スイッチ３２に加熱開始を指令する状態に操作する加熱用の突出位置とに、操作者による押し操作によって切り替え自在に構成されており、加熱停止指令位置（押し込み位置）では、回転操作部３１は加熱開始指令位置（突出位置）方向へスプリングなどにより復帰付勢された状態で機械的なロック機構により自動保持され、加熱開始指令位置（突出位置）では、回転操作部３１は操作者による押し操作によって機械的なロック機構が解除され、復帰作動が行われた状態で保持される。そして、回転操作部３１は前記突出位置（加熱開始指令位置）にて回転操作自在に構成され、この回転操作部３１が回転操作されると、その回転量に応じて前記燃料供給量が変化され、その結果、コンロの火力が調整される。
【００２９】
説明を加えると、回転操作部３１は、押し操作される毎に回転軸心方向に移動して、図４から図７に示すような位置保持機構（可動部材３８ａ、固定部材３８ｂ、スプリング３８ｃ）によって、前面パネル２９とほぼ面一になる押し込み位置と前方に突出する突出位置とに切り替え自在に構成され、回転操作部３１が前記突出位置に切り替えられているときに、正転方向及び逆転方向の夫々にその軸心周りで回動操作可能となるように構成されている。そして、この回転操作部３１が押し込み位置に切り替えられるとそれに伴って点火スイッチ３２がＯＦＦ（オフ）状態となり、回転操作部３１が突出位置に切り替えられるとそれに伴って点火スイッチ３２がＯＮ（オン）状態となるように連動して切り替わる構成となっている。この点火スイッチ３２の切り替え信号は制御部Ｈに入力されており、制御部Ｈはこの点火スイッチ３２がＯＮ状態に切り替わると標準バーナー１ａに対する点火作動を開始し、ＯＦＦ状態に切り替わると標準バーナー１ａの燃焼作動を停止するように構成されている。
【００３０】
又、前記前面パネル２９の内部には、回転操作部３１の回転操作に伴ってパルス信号を出力するパルス発生手段としてのロータリーエンコーダ３３が設けられている。つまり、このロータリーエンコーダ３３の操作軸３４に前記回転操作部３１が一体回動自在に且つ軸心方向での相対移動を許容する状態で接続されている。このロータリーエンコーダ３３は、回転操作部３１の一方向への回転操作に伴って２つのパルス信号のうちの一方のパルス信号が他方のパルス信号より位相が進み、回転操作部３１の他方向への回転操作に伴って前記他方のパルス信号が前記一方のパルス信号より位相が進む状態で、回転操作部３１の回転操作に伴って互いに異なる位相の２つのパルス信号を出力するように構成されている。つまり、このロータリーエンコーダ３３は、２つの出力端子を備えており、その２つの出力端子から上述したような位相の異なるパルス信号が出力される構成である。このようなロータリーエンコーダ３３は周知のものであるから詳細な構成については説明を省略する。又、このガスコンロには報知音を発生する報知作動を行う報知手段としてのブザー３７が備えられている。
【００３１】
次に、図５から図７を参照して、可動部材３８ａ、固定部材３８ｂ及びスプリング３８ｃで構成された位置保持機構について説明する。可動部材３８ａは、可動部材３８ａと固定部材３８ｂとの間に設けられたスプリング３８ｃによって、図４（ロ）に示すような点火スイッチ３２がＯＮ状態（加熱開始を指令する状態）になる加熱開始指令位置（突出位置）へ復帰付勢されている。また、図６に示すように、可動部材３８ａの内部は固定部材３８ｂと摺動可能に中空に形成され、後述するような固定部材３８ｂとの機械的なロック状態を形成するための係止用突出部５０が設けられている。そして、可動部材３８ａと固定部材３８ｂとの摺動状態において係止用突出部５０と対面する側の固定部材３８ｂには係止誘導部５１が設けられている。図７に示すように、この係止誘導部５１は、可動部材３８ａが押し込み操作された場合に係止誘導部５１に対して相対的に上下方向に移動する係止用突出部５０を、ガイド溝５２に沿って横方向に移動しながら誘導する役割を果たすものである。また、回転操作部３１の可動部材３８ａが図４（イ）に示すような点火スイッチ３２がＯＦＦ状態（加熱停止を指令する状態）になる加熱停止指令位置（押し込み位置）にある状態は、可動部材３８ａの係止用突出部５０と固定部材３８ｂの係止誘導部５１とで構成される機械的なロック機構によって、可動部材３８ａと固定部材３８ｂとが互いに自動保持された状態である。
【００３２】
図７には、点火スイッチ３２のＯＮ状態とＯＦＦ状態とを切り替えるべく可動部材３８ａを押し込み操作した場合の、可動部材３８ａの係止用突出部５０と固定部材３８ｂの係止誘導部５１との位置関係の推移を連続的に図示する。
まず、点火スイッチ３２のＯＮ状態では可動部材３８ａと固定部材３８ｂとは図４（ロ）の位置関係（加熱開始指令位置）にあり、係止用突出部５０と係止誘導部５１との位置関係は図７（イ）の状態である。ここで、可動部材３８ａと固定部材３８ｂとを図４（イ）の位置関係に移行させて点火スイッチ３２をＯＦＦ状態に切り替えるために、ガスコンロの操作者が可動部材３８ａを押し込み操作した場合、係止用突出部５０は、図７（イ）に示す状態から図７（ト）に示す状態に係止誘導部５１によって誘導される。このように操作者が可動部材３８ａを十分に押し込み操作した後で手を離すと、可動部材３８ａはスプリング３８ｃの復元力によって押し上げられ（図７（チ））、図７（リ）に示す状態で係止用突出部５０と係止誘導部５１とが機械的にロックされて、可動部材３８ａと固定部材３８ｂとは図４（イ）の位置関係（加熱停止指令位置）に自動保持される。
【００３３】
その後、可動部材３８ａと固定部材３８ｂとを図４（ロ）の位置関係に移行させて点火スイッチ３２をＯＮ状態に切り替えるために、ガスコンロの操作者が可動部材３１を押し込み操作した場合、係止用突出部５０は、図７（リ）に示す状態から図７（ル）に示す状態に移行する。このように、操作者が可動部材３８ａを十分に押し込み操作した後で手を離すと、可動部材３８ａはスプリング３８ｃの復元力によって押し上げられ、係止誘導部５１によって誘導されながら、図７（ヲ）に示す状態から図７（タ）に示す状態へ移行することで、可動部材３８ａと固定部材３８ｂとは図４（ロ）の位置関係（加熱開始指令位置）に保持される。
【００３４】
ここで、図７（ホ）、図７（ヘ）及び図７（リ）を参照すると、係止用突出部５０の下端が位置Ｃよりも下方にくるように可動部材３８ａを押し込むと点火スイッチ３２がＯＦＦ状態になるのだが、図７（ホ）に示す状態及び図７（ヘ）に示す状態にまで可動部材３８ａを押し込んだ後で手を離したとしても、係止用突出部５０はスプリング３８ｃの復元力によって図７（イ）の位置状態（点火スイッチ３２のＯＮ状態）に戻ってしまい、図７（リ）に示したロック状態には至らない。係止用突出部５０の下端が位置Ｂよりも下方にくるように可動部材３８ａが押し込まれた後で手を離した場合のみに、係止用突出部５０が図７（リ）に示したロック状態に至って、点火スイッチ３２のＯＦＦ状態が継続されることになる。
【００３５】
このように、可動部材３８ａが、加熱開始指令位置から加熱停止指令位置側に押し込み操作されたときに、加熱停止指令位置（図７（リ）に示すように係止用突出部５０の下端が位置Ａにあるような位置状態）よりも手前側位置（係止用突出部５０の下端が位置Ｃと位置Ａとの間にあるような位置状態）から点火スイッチ３２をＯＦＦ状態に操作するように構成されているので、加熱停止指令位置（位置Ａ）にてのみ点火スイッチ３２をＯＦＦ状態に操作するように構成した場合に比べて、各部品の製作精度又は組み立て精度について比較的大きな誤差が許容される。
【００３６】
また、図８に示すように、前記前面パネル２９の外面側において前記各回転操作部３１の周囲には加熱量を表示する複数のＬＥＤランプ３５を並べる状態で加熱量を表示する表示手段としての火力表示部３６が設けられている。この火力表示部３６は複数のＬＥＤランプ３５をレベルメータとして用いて回転操作部３１にて設定された火力（加熱量）の大きさをＬＥＤランプ３５を点灯させて表示する構成となっている。この実施形態では、火力の大きさが最小火力から最大火力まで、標準バーナー１ａ及び高火力バーナー１ｃでは５段階に変更調整でき、小バーナー１ｃでは３段階に変更調整できる構成となっている。
【００３７】
以下に、本発明に係る加熱調理器（ガスコンロ）において、加熱開始及び加熱停止に関する操作入力を受け付けて、加熱開始又は加熱停止を実行する際の制御手順について説明するが、以下に説明する加熱調理器は、加熱手段Ｋと、この加熱手段Ｋの加熱開始及び加熱停止を指令する手動操作式の加熱状態指令スイッチ（上述の点火スイッチ３２）と、この加熱状態指令スイッチの指令に基づいて、加熱手段Ｋの作動を制御する制御手段（制御部Ｈ）とが備えられ、制御部Ｈは、加熱手段Ｋの加熱作動状態において加熱停止を指令されたときには、加熱手段Ｋを加熱停止状態に制御し且つ加熱停止を指令されてからの経過時間が設定経過時間内であるときに加熱開始を指令されても加熱停止状態を優先して維持させる形態で加熱手段Ｋの作動を制御するように構成されている。尚、標準バーナー１ａ、小バーナー１ｂ及び高火力バーナー１ｃのうち標準バーナー１ａに対する加熱開始又は加熱停止の制御手順を代表として説明するが、他のものについては同様であるため説明を省略する。
【００３８】
図９に示すのは、ガスコンロの電源スイッチ４０がＯＮにされてガスコンロの使用（各バーナーの燃焼）が行われた後、電源スイッチ４０がＯＦＦにされるまでの一連の制御動作を説明する図である。ここで、電源スイッチ４０は回転操作部３１とは異なる自動復帰型のスイッチであり、電源スイッチ４０のＯＦＦ状態からの押し操作は電源のＯＮ指令と認識し、電源スイッチ４０のＯＮ状態からの押し操作は電源のＯＦＦ指令と認識する。
電源スイッチ４０のＯＮ操作が０．３秒以上継続した場合には（ステップ６０）電力供給が開始されて制御部Ｈへの通電が行われ、制御部Ｈは電源自己保持信号をＯＮにして（ステップ６１）、その後で操作者が電源スイッチ４０の押し操作を止めたとしても電源のＯＮ状態が保持されることを確保する。次に、制御部Ｈは、操作者による回転操作部３１の操作入力に応じた各バーナーの燃焼制御を行う（ステップ６２）。そして制御部Ｈは、電源スイッチ４０が０．１秒以上ＯＦＦ操作されたか否かを監視しており（ステップ６３）、０．１秒以上ＯＦＦ操作されない間は、ステップ６２の燃焼制御を継続する。
【００３９】
制御部Ｈは、ステップ６３にて電源スイッチ４０が０．１秒以上ＯＦＦ操作されたと判定した場合、ガスコンロの各バーナーが燃焼中であるか否かの判定を行う（ステップ６４）。そして、燃焼中のバーナーが存在する場合には、ステップ６５に移行して全てのバーナーを消火させる全消火制御を行い、ステップ６６に移行する。この全消火制御では、制御部Ｈは、元ガス電磁弁１２を閉弁し、流量制御弁１８をその閉位置に移動させるように制御する。ステップ６４にて燃焼中のバーナーが存在しない場合、つまり、既にバーナーの消火処理制御が正常に行われている場合、電源自己保持信号をＯＦＦにして（ステップ６６）、ガスコンロの一連の制御フローを終了する。
【００４０】
次に、第１実施形態に係る燃焼制御（図９のステップ６２）の処理内容について図１０を参照して説明する。
まず図１０に示すように、制御部Ｈは点火スイッチ３２がＯＦＦからＯＮに切り替えられたか否かを監視する（ステップ１００）。そして、点火スイッチ３２がＯＦＦからＯＮに切り替えられた場合は、再点火禁止信号がＯＮか否かを判定し、再点火禁止信号がＯＦＦである場合にはステップ１２０に移行して点火処理フラグをＯＮにする。そして、引き続く点火・消火・ブザー制御（ステップ５００）において点火処理が実施されることになる。他方で、点火スイッチ３２がＯＦＦからＯＮに切り替えられたときに再点火禁止信号がＯＮである場合にはステップ１３０に移行してブザー鳴動フラグをＯＮにする。つまり、後述する設定経過時間の間は点火スイッチ３２がＯＦＦの状態を実行し続けることを要求され、制御部Ｈは点火スイッチ３２をこの設定経過時間の間監視するように指令されているのだが、操作者がそれとは異なる指令内容（ここでは、点火スイッチ３２のＯＮ操作）を実行した場合には、引き続く点火・消火・ブザー制御（ステップ５００）においてブザー鳴動処理が行われることになる。そして、このブザー鳴動により、点火スイッチ３２のＯＦＦからＯＮへの切り替えが、許容されていない操作（ここでは、点火スイッチ３２をＯＦＦにした直後に更にＯＮに切り替えた操作）であるということが操作者に対して報知され、操作者に対して点火スイッチ３２を適正状態（点火スイッチ３２がＯＦＦの状態）に戻すように操作させることができる。ここで、点火スイッチ３２がＯＦＦからＯＮに切り替えられた場合にのみ点火処理が行われるように構成されているので、例えば、点火スイッチ３２をＯＮ状態にした後で電源スイッチ４０をＯＮ操作したとしても点火処理は実施されない。
【００４１】
一方、点火スイッチ３２のＯＦＦからＯＮへの切り替えが行われていない場合（「Ｎｏ」の場合）にはステップ１４０に移行して、点火スイッチ３２がＯＦＦか否かの判定が行われる。点火スイッチ３２がＯＦＦではない場合には、点火スイッチ３２がＯＮの状態を維持したままであるということなので、他の処理ステップを経ること無しにステップ５００に移行する。他方で、点火スイッチ３２がＯＦＦである場合にはステップ１５０に移行して、標準バーナー１ａが燃焼中であるか否かが熱電対８の監視結果により判定される。
【００４２】
標準バーナー１ａが燃焼中である場合（且つ、ステップ１４０にて点火スイッチ３２がＯＦＦであると判定済み）には、点火スイッチ３２がＯＮからＯＦＦに切り替えられたことを意味するので、制御部Ｈは、消火処理フラグをＯＮにし（ステップ１６０）、再点火禁止タイマのカウントを開始して（ステップ１７０）、再点火禁止信号をＯＮにする（ステップ１８０）。そして、引き続く点火・消火・ブザー制御（ステップ５００）において消火処理が行われることになる。
【００４３】
他方で、ステップ１５０にて標準バーナー１ａが燃焼中ではない場合（且つ、ステップ１４０にて点火スイッチ３２がＯＦＦであると判定済み）には、点火スイッチ３２がＯＦＦの状態を維持したままであるということなので、制御部Ｈは、再点火禁止タイマが作動中であるか否かの判定を行う（ステップ１９０）。再点火禁止タイマが作動中である場合には、点火スイッチ３２がＯＮからＯＦＦに切り替えられ、再点火禁止信号がＯＮされた直後であるので、制御部Ｈは、その再点火禁止タイマが設定時間（設定経過時間）以上であるか否かの判定を行う（ステップ２００）。そして、再点火禁止タイマが設定時間（設定経過時間）以上である場合には、再点火禁止タイマをリセットして（ステップ２１０）、再点火禁止信号をＯＦＦにする（ステップ２２０）。これにより、標準バーナー１ａの再点火が可能となる。そして、引き続く点火・消火・ブザー制御に移行する。或いは、再点火禁止タイマが設定時間（設定経過時間）未満である場合には、点火スイッチ３２がＯＮからＯＦＦに切り替えられてから十分に時間が経過していないので、他の処理ステップを経ること無しにステップ５００に移行する。この状態では、標準バーナー１ａの再点火を行うことはできない。
【００４４】
以上のように、ステップ１５０からステップ２２０では、点火スイッチ３２がＯＮからＯＦＦに切り替えられたときには、加熱手段Ｋを加熱停止状態に制御し、且つ、再点火禁止タイマのカウントを開始して、加熱停止を指令されてからの経過時間が設定経過時間内であるときに加熱開始を指令されても加熱停止状態を優先して維持させるような制御が行われている。
【００４５】
次に図１１に示すのは、点火・消火・ブザー制御（ステップ５００）の処理フローである。
まず制御部Ｈは、消火処理フラグがＯＮであるか否かを判定し、消火処理フラグがＯＮである場合にはステップ５６０にて後述するような消火処理を実行させる。また、消火処理フラグがＯＮではない場合には、制御部Ｈは、ステップ５４０にて点火処理フラグがＯＮであるか否かを判定し、点火処理フラグがＯＮである場合にはステップ５８０にて後述するような点火処理を実行させる。
【００４６】
次に、制御部Ｈは、ステップ６００にてブザー鳴動フラグがＯＮであるか否かを判定する。そして、ブザー鳴動フラグがＯＮである場合には、ブザー鳴動を開始し（ステップ７００）、ブザー鳴動時間タイマのカウントを開始した上で（ステップ７２０）、ブザー鳴動フラグをＯＦＦにする（ステップ７４０）。他方で、ステップ６００にてブザー鳴動フラグがＯＦＦである場合には、制御部Ｈは、ブザー鳴動時間タイマが動作中であるか否かを判定する（ステップ６２０）。
【００４７】
ステップ６２０にてブザー鳴動時間タイマが動作中ではない場合には、ブザー鳴動中ではない、つまり、操作者による不適切なガスコンロの操作が無い状態であるので、そのまま他の処理を経ること無しに元の制御フローにリターンする。他方で、ステップ６２０にてブザー鳴動時間タイマが動作中である場合には、操作者による不適切なガスコンロの操作が直近にあり、ブザー鳴動中であることを意味する。従って、制御部Ｈは、ブザー鳴動時間タイマが設定時間以上であるか否かを判定し（ステップ６４０）、ブザー鳴動時間タイマが設定時間以上である場合には、ブザー鳴動時間タイマをリセットして（ステップ６６０）、ブザー鳴動を停止する（ステップ６８０）。ブザー鳴動時間タイマが設定時間未満である場合には、そのまま他の処理ステップを経ること無しに元の制御フローにリターンして、ブザー鳴動が継続される。
【００４８】
次に、図１１を参照して上述した点火処理制御について図１２を参照して説明し、消火処理制御について図１３を参照して説明する。
図１２に示すように点火処理制御が開始されると、制御部Ｈは、元ガス電磁弁１２が開いているか否かを判定し（ステップ５８１）、閉じられている場合には開弁させる（ステップ５８２）。次に、制御部Ｈは、ガス流量が点火用ガス流量であるか否かを判定し（ステップ５８３）、点火用ガス流量ではない場合には流量制御弁１８を開動作させる（ステップ５８４）。他方で、点火用ガス流量である場合には、制御部Ｈは、流量制御弁１８の開度をその状態で停止させ（ステップ５８５）、点火プラグ７から火花を飛ばして、点火作動を開始する（ステップ５８６）。
【００４９】
次に、制御部Ｈは、ステップ５８７にて熱電対８を用いて着火の検出を行う。そして、着火されていない場合には、制御部Ｈは、着火エラーを計時するエラータイマが作動中か否かを判定し（ステップ５９０）、エラータイマが作動中ではない場合にはエラータイマの作動を開始してそのタイマのカウントを開始する（ステップ５９１）。その後、制御部Ｈは、ステップ５９２にてエラータイマが設定時間以上であるか否かの判定を行う。そして、エラータイマが設定時間未満である場合には、点火処理を更に継続するべくリターンする。他方で、エラータイマが設定時間以上である場合には、着火が正常に行われなかったというガスコンロの異常を操作者に対して報知するためにブザー鳴動フラグをＯＮにし（ステップ５９３）、点火制御処理を強制的に中止させるべく消火処理フラグをＯＮにし（ステップ５９４）、点火処理フラグをＯＦＦにする（ステップ５９５）。
【００５０】
そして、ステップ５８７にて着火が検出された場合には、制御部Ｈは、エラータイマをリセットし（ステップ５８８）、点火プラグ７からの火花を停止させ（ステップ５８９）、点火処理フラグをＯＦＦにして（ステップ５９５）、この点火処理制御を正常に終了させる。
【００５１】
また、図１３に示すように消火処理制御が開始されると、制御部Ｈは、ステップ５６１にて点火動作中であるか否かを判定する。そして、図１２を参照して説明した点火動作中である場合には、制御部Ｈは、点火プラグ７からの火花を停止させる（ステップ５６２）。次に、制御部Ｈは、ステップ５６３にて他に燃焼中のバーナーがあるか否かを熱電対８を用いて判定し、他に燃焼中のバーナーが無い場合には、ガスコンロ全体のバーナーの燃焼を停止させるべく、元ガス電磁弁１２を閉弁させる。他方で、他に燃焼中のバーナーが存在する場合には、標準バーナー１ａのみを消火制御させるような処理を行うべく、標準バーナー１ａ用の流量制御弁１８が閉位置にあるか否かを判定する（ステップ５６５）。そして、流量制御弁１８が閉位置にない場合にはそれを閉動作させる（ステップ５６６）。他方で、閉位置にある場合には、制御部Ｈは、流量制御弁１８をその位置で停止させ（ステップ５６７）、消火処理フラグをＯＦＦにして（ステップ５６８）、この消火処理制御を正常に終了させる。
【００５２】
＜第２実施形態＞
以下の第２実施形態では、上述の第１実施形態で説明したガスコンロにおいて、加熱開始及び加熱停止を指令するために使用される回転操作部３１及び点火スイッチ３２が、この加熱調理器の操作者によって操作された場合にどのように制御するのかを説明するが、本実施形態における制御部Ｈは、加熱手段Ｋの加熱作動状態において加熱停止を指令されたときには、その加熱停止の指令が設定継続時間の間継続したときに加熱停止状態に作動させるようにして、加熱作動状態を優先して維持させる形態で加熱手段Ｋの作動を制御するように構成されている。
【００５３】
以下に、第２実施形態に係る燃焼制御（図９のステップ６２）の処理内容について図１４を参照して説明する。
図１４に示すように、制御部Ｈは、点火スイッチ３２がＯＦＦからＯＮに切り替えられたか否かを監視する（ステップ３００）。そして、点火スイッチ３２がＯＦＦからＯＮに切り替えられた場合（「Ｙｅｓ」の場合）にはステップ３１０に移行して、標準バーナー１ａが燃焼中であるか否かが熱電対８の監視結果により判定される。標準バーナー１ａが燃焼中ではない場合には、制御部Ｈは、その標準バーナー１ａの点火処理を実行するべく、点火処理フラグをＯＮする。そして、上述した点火・消火・ブザー制御（ステップ５００）において点火処理が行われることになる。ここで、点火スイッチ３２がＯＦＦからＯＮに切り替えられた場合にのみ点火処理が行われるように構成されているので、例えば、点火スイッチ３２をＯＮ状態にした後で電源スイッチ４０をＯＮ操作したとしても点火処理は実施されない。ステップ５００の点火・消火・ブザー制御の内容は第１実施形態にて説明したものと同じであるため説明を省略する。
【００５４】
他方で、ステップ３１０にて標準バーナー１ａが燃焼中である場合には、制御部Ｈは、ディレータイマが作動中であるか否かを判定する（ステップ３２０）。このディレータイマは、点火スイッチ３２がＯＮからＯＦＦに切り替えられたときに、その点火スイッチ３２のＯＦＦの指令が後述する設定継続時間の間継続したときに標準バーナー１ａを加熱停止状態に作動させるようにして、その設定継続時間が経過するまでは加熱作動状態を優先して維持させる形態で標準バーナー１ａを制御することを目的に設定されている。ディレータイマが作動中である場合には、点火スイッチ３２が一旦ＯＦＦにされた後、上記設定継続時間内の燃焼継続中に点火スイッチ３２がＯＮにされたことを意味するので、制御部Ｈは、操作者による不適切なガスコンロの操作があったと判定して、その不適切な操作を報知するべくブザー鳴動フラグをＯＮにし（ステップ３３０）、ディレータイマをリセットする（ステップ３４０）。つまり、設定継続時間の間は点火スイッチ３２がＯＦＦの状態を実行し続けることを要求され、制御部Ｈは点火スイッチ３２をこの設定経過時間の間監視するように指令されているのだが、操作者がそれとは異なる指令内容（ここでは、点火スイッチのＯＮ操作）を実行した場合には、引き続く点火・消火・ブザー制御（ステップ５００）においてブザー鳴動処理が行われることになる。ここで、ステップ５００の点火・消火・ブザー制御の内容は第１実施形態にて説明したものと同じであるため説明を省略する。
【００５５】
一方、点火スイッチ３２のＯＦＦからＯＮへの切り替えが行われていない場合（「Ｎｏ」の場合）にはステップ３６０に移行して、点火スイッチ３２がＯＦＦであるか否かの判定が行われる。そして、点火スイッチ３２がＯＦＦではない場合には、点火スイッチ３２がＯＮの状態を維持したままであるということなので、他の処理ステップを経ること無しにステップ５００に移行する。他方で、点火スイッチ３２がＯＦＦである場合にはステップ３７０に移行して、標準バーナー１ａが燃焼中であるか否かが熱電対８の監視結果により判定される。
【００５６】
標準バーナー１ａが燃焼中ではない場合（且つ、ステップ３６０にて点火スイッチ３２がＯＦＦであると判定済み）には、点火スイッチ３２がＯＦＦの状態を維持したままであるということなので、他の処理ステップを経ること無しにステップ５００に移行する。他方で、標準バーナー１ａが燃焼中である場合（且つ、ステップ３６０にて点火スイッチ３２がＯＦＦであると判定済み）には、点火スイッチ３２がＯＮからＯＦＦに切り替えられたことを意味するので、制御部Ｈは、ディレータイマが作動中であるか否かの判定を行う（ステップ３８０）。そして、ディレータイマが作動中でない場合には、ディレータイマのカウントを開始する（ステップ３９０）。
【００５７】
ディレータイマが作動中である場合には、点火スイッチ３２がＯＮからＯＦＦに切り替えられた直後であるので、制御部Ｈは、そのディレータイマが設定時間（設定継続時間）以上であるか否かの判定を行う（ステップ４００）。そして、ディレータイマが設定時間（設定継続時間）以上である場合には、制御部Ｈは、標準バーナー１ａの消火を許容するために消火処理フラグをＯＮにし（ステップ４１０）、ディレータイマをリセットして（ステップ４２０）、点火・消火・ブザー制御（ステップ５００）に移行する。或いは、ディレータイマが設定時間（設定継続時間）未満である場合には、点火スイッチ３２がＯＮからＯＦＦに切り替えられてから十分に時間が経過していないので、標準バーナー１ａの消火は許容されず、他の処理ステップを経ること無しにステップ５００に移行する。ここで、ステップ５００の点火・消火・ブザー制御の内容は第１実施形態にて説明したものと同じであるため説明を省略する。
【００５８】
以上のように、ステップ３６０からステップ４２０では、点火スイッチ３２がＯＮからＯＦＦに切り替えられて加熱停止が指令されたときには、制御部Ｈは、その加熱停止の指令が設定継続時間の間継続したときに加熱停止状態に作動させるようにして、加熱作動状態を優先して維持させる形態で加熱手段Ｋの作動を制御することを行っている。
【００５９】
＜別実施形態＞
＜１＞
上記実施形態では、回転操作部３１がその回転軸心方向に沿ってスライド移動自在に設けられ、操作者の押しボタン操作による回転操作部３１のスライド移動によって点火スイッチ３２をＯＮ／ＯＦＦさせるような構成としたが、点火及び消火が指令される点火スイッチ３２を回転操作部３１とは分けて構成することもできる。例えば、図１５に示す構成では、上述の回転操作部３１に代わって、標準バーナー１ａ、小バーナー１ｂ及び高火力バーナー１ｃの点火及び消火を夫々指令するための点火及び消火操作部４１が設けられており、標準バーナー１ａ、小バーナー１ｂ及び高火力バーナー１ｃの火力調整を夫々指令するための火力調整操作部４２も設けられている。そして、火力を大きくするときには、火力増加ボタン４２ｂが操作され、火力を小さくするときには火力減少ボタン４２ａが操作され、火力表示ランプ３５によって火力状態の表示が行われるように構成されている。
【００６０】
点火及び消火操作部４１の機構は回転操作部３１の機構と同様であり、その円形の部材の中心軸方向の移動により、前記点火スイッチ３２に加熱停止を指令する状態に操作する加熱停止用の押し込み位置と、その押し込み位置よりも突出して点火スイッチ３２に加熱開始を指令する状態に操作する加熱用の突出位置とに、操作者による押し操作によって切り替え自在に構成されており、加熱停止指令位置（押し込み位置）では、点火及び消火操作部４１は加熱開始指令位置（突出位置）方向へスプリングなどにより復帰付勢された状態で機械的なロック機構により自動保持され、加熱開始指令位置（突出位置）では、点火及び消火操作部４１が操作者による押し操作によって機械的なロック機構が解除され、復帰作動が行われた状態で保持される。
【００６１】
＜２＞
上記実施形態では、報知手段としてブザーを鳴らす場合について説明したが、ブザーを鳴動させる際に、所定のタイミングで間欠的に鳴動させる報知方式や連続して鳴動させる報知方式など様々な方式がある。更に、報知手段の例としてブザーを挙げているが、音を発する機械であれば報知手段として使用することができる。例えば、音楽などの様々な音色を発生させる音源装置や、言葉による音声メッセージ（人間の声を録音したもの又は機械による合成音声）を発生させる音源装置を報知手段として使用することができる。
【００６２】
＜３＞
上記実施形態では、報知手段としてブザーのような音情報による報知だけではなく、ＬＥＤなどの発光装置を用いて光の点滅をさせることで、問題が発生したことを操作者に対して報知することもある。例えば、ＬＥＤランプ３５の点灯状態を変化させることで、操作者に対して問題の発生を視覚的に報知することができる。更に、これら表示情報による報知方式と上述の音情報による報知方式とを併用することもできる。
【図面の簡単な説明】
【００６３】
【図１】ガスコンロの斜視図
【図２】ガスコンロの概略構成図
【図３】加熱状態調整部の操作状態を示す図
【図４】加熱状態調整部の構成を示す側面図
【図５】位置保持機構の分解図
【図６】可動部材の断面図
【図７】係止用突出部と係止誘導部との位置関係を示す図
【図８】火力表示部を示す図
【図９】制御動作のフローチャート
【図１０】燃焼制御のフローチャート
【図１１】点火・消火・ブザー制御のフローチャート
【図１２】点火処理制御のフローチャート
【図１３】消火処理制御のフローチャート
【図１４】燃焼制御のフローチャート
【図１５】別実施形態のガスコンロの正面図
【符号の説明】
【００６４】
３２  点火スイッチ（加熱状態指令スイッチ）
Ｈ  制御部（制御手段）
Ｋ  加熱手段
【図１】
2005083594.tif 000003
【図２】
2005083594.tif 000004
【図３】
2005083594.tif 000005
【図４】
2005083594.tif 000006
【図５】
2005083594.tif 000007
【図６】
2005083594.tif 000008
【図７】
2005083594.tif 000009
【図８】
2005083594.tif 000010
【図９】
2005083594.tif 000011
【図１０】
2005083594.tif 000012
【図１１】
2005083594.tif 000013
【図１２】
2005083594.tif 000014
【図１３】
2005083594.tif 000015
【図１４】
2005083594.tif 000016
【図１５】
2005083594.tif 000017